(57)【要約】【課題】衛生面に優れ、カトラリーを、容器に対して繰り返し着脱することが可能な食品用容器を提供する。【解決手段】上部に開口端が設けられ食品が収容される容器本体１１と、前記上部を覆う蓋体１２と、カトラリー１３と、を備え、容器本体１１は、その周壁に、カトラリー１３が取付けられる取付け部Ａを有し、カトラリー１３は、カトラリー本体１３ａと、柄１３ｂと、を有し、取付け部Ａには、柄１３ｂが挿通される挿通孔Ａ１が設けられ、挿通孔Ａ１は、開口端１１ａに連通していることを特徴とする。【選択図】図１
2020079103.tif 000002
【特許請求の範囲】
【請求項１】
上部に開口端が設けられ、内部に食品が収容される容器本体と、前記上部を覆う蓋体と、カトラリーと、を備え、
前記容器本体は、その周壁に、前記カトラリーが取付けられる取付け部を有し、
前記カトラリーは、カトラリー本体と、柄と、を有し、
前記取付け部には、前記柄が挿通される挿通孔が設けられ、
前記挿通孔は、前記開口端に連通していることを特徴とする食品用容器。
【請求項２】
前記挿通孔の幅と前記柄の幅とが、略同一であることを特徴とする、請求項１に記載の食品用容器。
【請求項３】
前記取付け部には、弾性素材により形成された切込み部が形成され、
前記挿通孔は、前記切込み部を介して、前記開口端に連通していることを特徴とする、請求項１又は２に記載の食品用容器。
【請求項４】
前記柄には、持ち手部と、細長部と、が設けられ、
前記細長部は、前記持ち手部よりも断面積が小さく形成され、
前記挿通孔には、前記細長部が挿通されること特徴とする、請求項３に記載の食品用容器。
【請求項５】
前記細長部は、略円柱状であることを特徴とする、請求項４に記載の食品用容器。
【発明の詳細な説明】
【技術分野】
【０００１】
本発明は、カトラリーを備えた食品用容器に係るものである。
【背景技術】
【０００２】
従来から、コンビニエンスストアやスーパー等の店舗でのヨーグルトやアイスといった食品の販売形態は、需要者が、食品が収容された容器を購入し、購入時に、店員からスプーンを手渡される、といった形態である。
【０００３】
ところで、このように店員から手渡されたスプーンは、通常、プラスチック製や木製のものであり、金属性のスプーンと比較して、軽量かつ小型であることから、紛失し易い。
【０００４】
このため、予め、スプーンやフォークといったカトラリーを、容器自体に備え付けておくことが好ましい。
【０００５】
例えば、特許文献１には、密閉容器の周縁部に装着される環状装着部を備え、環状装着部の一側内面にスプーンの一端を取付け、環状装着部の他側に、スプーンの他端が入り込む切り欠き部が形成された、スプーン付蓋が記載されている。
スプーンを取外す際には、需要者は、切欠部内に指を挿入し、切欠部の一部を破断させ、さらにスプーンを捩じることで、他端を破断させ、取外す。
【先行技術文献】
【特許文献】
【０００６】
【特許文献１】実開平４−９５７７２
【発明の概要】
【発明が解決しようとする課題】
【０００７】
しかしながら、特許文献１に記載のスプーン付蓋は、売り場等の外部に長時間放置しておくと、スプーン表面に埃が被ってしまう等、衛生面で問題が生じる。また、一度スプーンを蓋から取外すと、再度安定的に容器に取付けておくことができない。
【０００８】
本発明は上記のような実状に鑑みてなされたものであり、衛生面に優れ、カトラリーを、容器に対して繰り返し着脱することが可能な食品用容器を提供することを課題とする。
【課題を解決するための手段】
【０００９】
上記課題を解決するために、本発明は、
上部に開口端が設けられ、内部に食品が収容される容器本体と、前記上部を覆う蓋体と、カトラリーと、を備え、
前記容器本体は、その周壁に、前記カトラリーが取付けられる取付け部を有し、
前記カトラリーは、カトラリー本体と、柄と、を有し、
前記取付け部には、前記柄が挿通される挿通孔が設けられ、
前記挿通孔は、前記開口端に連通していることを特徴とする。
【００１０】
本発明によれば、挿通孔が開口端に連通していることで、カトラリーを、取付け部に対して繰り返し着脱することが可能となる。
また、容器本体の上部を蓋体で覆うことで、カトラリーを、挿通孔を介して容器本体の内部に収納することができ、外部に長時間放置した場合であっても、カトラリーに埃が被る恐れが無い。
【００１１】
本発明の好ましい形態では、前記挿通孔の幅と前記柄の幅とが、略同一であることを特徴とする。
【００１２】
このような構成とすることで、挿通孔を介した、容器本体の内部への空気の流入を抑制することができるため、内部の乾燥による食品の風味や食感等の劣化を抑制することが可能となる。
【００１３】
本発明の好ましい形態では、前記取付け部には、弾性素材により形成された切込み部が形成され、前記挿通孔は、前記切込み部を介して、前記開口端に連通していることを特徴とする。
【００１４】
このような構成とすることで、カトラリーの上方を密閉に限りなく近い状態とすることができ、内部の乾燥による食品の風味や食感等の劣化を、さらに効果的に抑制することが可能となる。
【００１５】
本発明の好ましい形態では、前記柄には、持ち手部と、細長部と、が設けられ、前記細長部は、前記持ち手部よりも断面積が小さく形成され、前記挿通孔には、前記細長部が挿通されること特徴とする。
【００１６】
このような構成とすることで、取付け部において、切込み部を介した柄の取付けをスムーズに行うことができると共に、切込み部による密閉度も向上させることが可能となる。
【００１７】
本発明の好ましい形態では、前記細長部は、略円柱形状であることを特徴とする。
【００１８】
このような構成とすることで、取付け部において、切込み部を介した柄の取付けを、よりスムーズに行うことが可能となる。
【発明の効果】
【００１９】
本発明によれば、衛生面に優れ、カトラリーを、容器に対して繰り返し着脱することが可能な食品用容器を提供することができる。
【図面の簡単な説明】
【００２０】
【図１】本発明の実施形態に係る食品用容器の概略斜視図である。
【図２】本発明の実施形態に係る食品用容器における取付け部を示す図であって、（ａ）概略斜視図、（ｂ）正面図である。
【図３】本発明の実施形態に係る食品用容器の概略斜視図である。
【図４】本発明の実施形態に係る食品用容器の概略斜視図である。
【発明を実施するための形態】
【００２１】
以下、図１〜図４を用いて、本発明の実施形態に係る食品用容器について説明する。
なお、以下に示す実施形態は本発明の一例であり、本発明を以下の実施形態に限定するものではない。また、これらの図において、符号１は、本実施形態に係る食品用容器を示す。
【００２２】
図１に示すように、食品用容器１は、上部に開口端１１ａ（図３参照）が設けられ、内部に食品Ｆ（図３参照）が収容される容器本体１１と、容器本体１１の上部を覆う蓋体１２と、カトラリー１３と、を備えている。
【００２３】
容器本体１１は、略有底円筒状であり、その周壁に、カトラリー１３が取付けられる取付け部Ａを有している。
【００２４】
蓋体１２は、略薄膜円盤状であり、その周縁が、容器本体１１の開口端１１ａに、剥離可能に接着されている。また、蓋体１２は、その周縁から径方向に突出するベロ部１２ａを有している。
【００２５】
以下、図２を用いて、取付け部Ａの具体的な態様について説明する。
【００２６】
図２に示すように、取付け部Ａは、略直方体状であり、全体が弾性素材により形成されている。
また、取付け部Ａには、その厚さ方向に貫通し、後述する柄１３ｂが挿通される挿通孔Ａ１と、挿通孔Ａ１に連通する切込み部Ａ２と、が設けられている。これにより、挿通孔Ａ１は、切込み部Ａ２を介して開口端１１ａに連通している。
なお、図２では、取付け部Ａについて、挿通孔Ａ１と切込み部Ａ２の関係を説明する便宜上、その上部を左右に開いた状態で示している。
【００２７】
挿通孔Ａ１は、丸穴であり、後述する細長部１３ｂ２の断面と略同一の大きさ、かつ略同一の形状に構成されている。
【００２８】
図３は、図１の状態から、ベロ部１２ａを用いて、カトラリー１３が取外し可能となるまで、蓋体１２を容器本体１１から剥離させた際の食品用容器１の概略斜視図である。
【００２９】
図３に示すように、カトラリー１３は、カトラリー本体１３ａと、柄１３ｂと、を有している。
また、柄１３ｂには、略平板状の持ち手部１３ｂ１と、持ち手部１３ｂ１の一端面から持ち手部１３ｂ１の面方向に延びる略円柱状の細長部１３ｂ２と、が設けられ、細長部１３ｂ２は、持ち手部１３ｂ１よりも断面積が小さく形成されている。
なお、本実施形態において、カトラリー１３はスプーンであるが、これに限られず、フォークやナイフ等であっても良い。また、細長部１３ｂ２は、持ち手部１３ｂ１の中程に設けられているが、位置はこれに限られず、例えば、カトラリー本体１３ａと持ち手部１３ｂ１とを連結するような態様で、持ち手部１３ｂ１の端部に設けても良い。
【００３０】
カトラリー１３は、細長部１３ｂ２が、取付け部Ａの挿通孔Ａ１を挿通することにより、取付け部Ａに取付けられている。
【００３１】
ここで、容器本体１１の周壁の厚さと取付け部Ａの厚さと、は、略同一であり、取付け部Ａは、容器本体１１の周壁に形成された取付け部Ａと略同一の外形状の溝に嵌め込まれ、その外周面が、溝の内周面に固着されることで、容器本体１１と一体となっている。
【００３２】
食品用容器１の使用者は、容器本体１１の内部に収容された食品Ｆを食す際、図４に示すように、カトラリー１３を取付け部Ａから取り外す。即ち、カトラリー１３は、上方に押し上げられることにより、細長部１３ｂ２が切込み部Ａ２を通り、取付け部Ａから取り外される。
【００３３】
そして、使用者は、カトラリー本体１３ａを用いて、食品Ｆをすくい、食していく。
なお、図４において、蓋体１２は、容器本体１１から全て剥離させている。また、食品Ｆとは、例えば、ヨーグルトやアイス、プリン、ゼリー等である。
【００３４】
また、使用者は、食品Ｆをある程度の残し、後で残りを食したいというような場合、細長部１３ｂ２を、切込み部Ａ２を介して挿通孔Ａ１に押し込み、再度カトラリー１３を取付け部Ａに取付けることができる。
【００３５】
本実施形態によれば、取付け部Ａに、細長部１３ｂ２が挿通される挿通孔Ａ１が設けられ、挿通孔Ａ１が、開口端１１ａに連通していることで、カトラリー１３を、取付け部Ａに対して繰り返し着脱することが可能となる。
【００３６】
また、容器本体１１の上部を蓋体１２で覆うことで、カトラリー１３を、挿通孔Ａ１を介して容器本体１１の内部に収納することができ、外部に長時間放置した場合であっても、カトラリー１３に埃が被る恐れが無い。
【００３７】
また、挿通孔Ａ１と細長部１３ｂ２とが、略同一の大きさ、かつ同一の形状であることで、挿通孔Ａ１を介した、容器本体１１の内部への空気の流入を抑制することができるため、内部の乾燥による食品Ｆの風味や食感等の劣化を抑制することが可能となる。
【００３８】
また、取付け部Ａには、弾性素材により形成された切込み部Ａ２が形成され、挿通孔Ａ１が、切込み部Ａ２を介して、開口端１１ａに連通していることで、カトラリー１３の上方を密閉に限りなく近い状態とすることができ、内部の乾燥による食品Ｆの風味や食感等の劣化を、さらに効果的に抑制することが可能となる。
【００３９】
また、細長部１３ｂ２により、切込み部Ａ２を介した柄１３ｂの取付けをスムーズに行うことができると共に、切込み部Ａ２による密閉度も向上させることが可能となる。
【００４０】
また、細長部１３ｂ２が、略円柱形状であることで、切込み部Ａ２を介した柄１３ｂの取付けを、よりスムーズに行うことが可能となる。
【００４１】
なお、上述の実施形態において示した各構成部材の諸形状や寸法等は一例であって、設計要求等に基づき種々変更可能である。
【符号の説明】
【００４２】
１        食品用容器
１１      容器本体
１１ａ    開口端
１２      蓋体
１２ａ    ベロ部
１３      カトラリー
１３ａ    カトラリー本体
１３ｂ    柄
１３ｂ１  持ち手部
１３ｂ２  細長部
Ａ        取付け部
Ａ１      挿通孔
Ａ２      切込み部
Ｆ        食品
【図１】
2020079103.tif 000003
【図２】
2020079103.tif 000004
【図３】
2020079103.tif 000005
【図４】
2020079103.tif 000006
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
食品を内部に収容する容器本体と、容器の上部を覆う蓋体と、カトラリーと、を備え、
前記容器本体は、前記容器本体の上部に設けられた開口端と、前記容器本体の周壁に設けられ、前記カトラリーを取り付けるための取り付け部と、を有し、
前記取付け部は、切込み部と、挿通孔と、を有し、
前記切込み部は、その一端が前記開口端、他端が前記挿通孔とそれぞれ接しており、
前記挿通孔は、その孔の形状が略円形形状で、前記切込み部を通って前記開口端に連通しており、
前記カトラリーは、カトラリー本体と、柄と、を有し、
前記柄は、持ち手部と、細長部と、を備え
前記持ち手部は、細長部よりもその断面形状が大きくなるよう形成されており、
前記細長部は、その一端がカトラリー本体と、他端が柄と、それぞれ連結され、
さらに、前記細長部の断面形状は、前記細長部の一端から他端にかけて前記挿通孔と略同一の形状かつ略同一の大きさであることを特徴とする、食品用容器。
【請求項２】
前記カトラリーの持ち手部は、全体が略平板形状となるよう形成されていることを特徴とする、請求項１に記載の食品用容器。
【請求項３】
前記取付け部は、全体が弾性素材で形成されていることを特徴とする、請求項１または２に記載の食品用容器。